(57)【特許請求の範囲】
【請求項１】
取付板の前面に、円弧状の周面を有し、その周面の一部に球を受け入れる球受部を設けた回転部材と、該回転部材の周面を囲むガイド枠とを設けると共に、
取付板の裏面には、前記回転部材に係脱自在なロック片と、前記ロック片と連結されたソレノイドと、前記回転部材に受け入れられた球を検出する入賞球検出器とを設け、
前記回転部材は、その球受部がガイド枠の上部中央に開設した球導入口に合致する第１位置と、その球受部に受け入れた球の重量により下方へ回転して該球を流出させる第２位置とに回転可能なように設けられ、かつ常に自重で第２位置から第１位置に回転復帰するように設けられており、
前記ロック片は、回転部材を第２位置でロックすると共に、前記入賞球検出器により球が検出され一定時間が経過するとソレノイドが励磁してそのロックを解除するように設けられていることを特徴とするパチンコ球整理装置。
【請求項２】
取付板の前面に、円弧状の周面を有し、且つその周面の一部に球を受け入れる凹状の球受部と、取付板の前面側へ対向するように突出する係止突起とを設けてなる回転部材を軸支すると共に、該回転部材の周面を囲むガイド枠と、該ガイド枠と一体に形成され回転部材の回転を規制するストッパ片とを設け、
他方、取付板の裏面には、前記回転部材の係止突起に係脱自在な係止部を有するロック片と、前記ロック片と連結されたソレノイドと、前記回転部材に受け入れられた球を検出する入賞球検出器とを設け、
前記回転部材は、その球受部がガイド枠の上部中央に開設した球導入口に合致する第１位置と、その球受部に受け入れた球の重量により下方へ回転して該球を流出させる第２位置とに回転可能なように設けられ、かつ常に自重で第２位置から第１位置に回転復帰するように設けられており、
前記ロック片の係止部は、前記回転部材の係止突起に係合して該回転部材を第２位置でロックすると共に、前記入賞球検出器により球が検出され一定時間が経過するとソレノイドが励磁してそのロックを解除するように設けられていることを特徴とするパチンコ球整理装置。
【発明の詳細な説明】
【０００１】
【産業上の利用分野】
本発明は、パチンコ球整理装置に関し、特に打球を所定の時間間隔で整理する装置に関するものである。
【０００２】
【従来の技術】
従来、打球を所定の時間間隔で整理させるようにしたパチンコ球整理装置として例えば図８に示すようなものが知られている。このパチンコ球整理装置Ａは、取付板１００の前面にモータ１０１によって常時一定方向に回転する回転体１０２と、該回転体１０２の周面を囲む環状のガイド枠１０３とを設け、前記回転体１０２の周面には球１個分の凹部からなる球保持部１０４を設けると共に、ガイド枠１０３の上部中央に打球の待機部１０５を設けて構成し、回転体１０２の球保持部１０４が待機部１０５と一致したときに該待機部１０５で待機している打球があるとその打球を球保持部１０４に取込んで下方の流出孔１０６まで運んで入賞させるようにしている。
【０００３】
一方、上記のようなパチンコ球整理装置Ａは、例えば遊技盤上に始動入賞口，可変表示器，アタッカーと呼ばれている大入賞口等と関連付けて配設し、始動入賞口に打球が入賞すると可変表示器の表示状態の変動を開始させると共に、その停止した可変表示器の表示結果が当りであれば「大当り」の権利発生となり、その権利発生時において打球がパチンコ球整理装置Ａの球保持部１０４に取込まれて入賞すると大当り状態が開始されてその入賞ごとに大入賞口を開放するいわゆる権利物タイプのパチンコ機に使用される場合が多い。
【０００４】
【発明が解決しようとする課題】
ところで、上記のような権利物タイプのパチンコ機は、大当り状態においてパチンコ球整理装置Ａの球保持部１０４に取込まれた打球の入賞を条件に大入賞口が開放されるものであるから、遊技者にとっては、大入賞口が閉じるのとほぼ同時的に球保持部１０４に取込まれた打球が入賞して再び大入賞口が開放されるような入賞タイミングであれば大入賞口が閉じていて入賞の確率が少ない状況下での打球の発射を少なくすることができて最も好ましいものとなる。
【０００５】
しかしながら、従来のパチンコ球整理装置Ａにあっては、回転体１０２の球保持部１０４が待機部１０５を通過した直後に該待機部１０５に打球が入ったときには、その打球は回転体１０２がほぼ１回転して、再び球保持部１０４が待機部１０５に合致しないと球保持部１０４に受け入れられないことになる。このため、遊技客は無駄な打球の発射を少なくするため回転体１０２がほぼ１回転する間は遊技を中止して待っているのが現状であり、その分パチンコ機の稼動率を低下させ、パチンコ店に大きな損失を与えている。
【０００６】
本発明は、従来技術の有するこのような問題点にかんがみてなされたものであり、その目的とするところは、大当り状態において効率よく大入賞口を開放できるようにして遊技者に有利な遊技条件を付与すると共に、パチンコ機の稼動率を高めることができるようなパチンコ球整理装置を提供しようとするものである。
【０００７】
【課題を解決するための手段】
上記目的を達成するために、本発明に係わるパチンコ球整理装置は、取付板の前面に、円弧状の周面を有し、その周面の一部に球受部を設けた回転部材と、該回転部材の周面を囲むガイド枠とを設けると共に、取付板の裏面には、前記回転部材に係脱自在なロック片と、ソレノイドとを設け、前記回転部材は、その球受部がガイド枠の上部中央に開設した球導入口に合致する第１位置と、その球受部に受け入れた球の重量により下方へ回転して該球を流出させる第２位置とに回転可能なように設けられ、かつ常に自重で第２位置から第１位置に回転復帰するように設けられており、前記ロック片は、回転部材を第２位置でロックすると共に、ソレノイドの励磁によりそのロックを解除するようにしたものである。
【０００８】
【作用】
回転部材が第１位置にあるとき、その球受部に打球が入ると該回転部材はその球重量により第２位置に回転して球受部の打球を流出させると同時にロック片によりその第２位置にロックされる。一方、ロック片による回転部材のロック解除はソレノイドの励磁によって行われ、ロックが解除されると回転部材は自重で第１位置に回転復帰する。
【０００９】
【実施例】
以下、本発明の一実施例を図面と共に説明する。図１は本発明に係わるパチンコ球整理装置を正面から見た斜視図、図２はその裏側から見た斜視図、図３はその分解斜視図である。パチンコ球整理装置１は、遊技盤の表面に取付ける取付板１０を有し、その取付板１０の前面に環状のガイド枠１１を一体に設けている。また、ガイド枠１１の上部中央には球導入口１２が開設されると共に、その下方に位置した取付板１０に流出孔１３が設けられている。
【００１０】
１４は取付板１０の前面であり、かつ前記ガイド枠１１の内側に配設される回転部材で、前面に透明な円板１５を有し、その裏面中心に固着した軸１６を取付板１０の裏面の軸筒部１７に挿通して回転自在に軸支されている。また、円板１５の裏面にはガイド枠１１の内側に沿う円弧状の周面１８が設けられており、その周面１８の一部に球１個分の凹部からなる球受部１９が設けられている。さらに、取付板１０の前面に対向する周面１８の後側縁には後記するロック片２４の係止部２６ｂと係脱自在な段部２０ａとテーパー面２０ｂとを有する係止突起２１が突設されている。
【００１１】
また、前記回転部材１４には重錘２２が設けられており、その重錘２２の作用力によって通常時は図４実線で示すように球受部１９がガイド枠１１の球導入口１２に合致して打球を受け入れ可能な第１位置に付勢されている。そして、打球が球受部１９に入るとその球の重量が重錘２２の作用力に打勝って同図鎖線のように球受部１９と流出孔１３とが合致する第２位置に回転し、球受部１９の打球を流出孔１３から流出させるようにバランスされている。なお、２３はガイド枠１１と一体に取付板１０の前面に設けられたストッパ片で、前記回転部材１４を当接させることにより該回転部材１４を第１位置又は第２位置に正しく回転規制する用を果す。
【００１２】
一方、前記取付板１０の裏面にはロック片２４とソレノイド２５とが設けられている。ロック片２４は、垂直部２６ａと先端をテーパー面２７とした係止部２６ｂとによりほぼＬ字形に形成されており、その垂直部２６ａの上端に軸通孔２８を、下端に長孔２９をそれぞれ形成している。そして、取付板１０の裏面に突設した二又状の軸受片３０，３０間に上端を臨ませ、軸通孔２８と軸受片３０，３０の透孔３１，３１とにピン３２を挿通して回動自在に軸支される。
【００１３】
前記ソレノイド２５は、取付板１０の裏面に突設した間隔保持突起３３，３３に取付片３４，３４を合致させてビス３５，３５の締着により固着される。そして、プランジャ３６の先端二又部にロック片２４の垂直部２６ａを臨ませ、これの長孔２９とプランジャ３６の二又部に形成した小透孔３７，３７とにピン３８を挿通して互いに枢支連結している。
【００１４】
前記ロック片２４は、ソレノイド２５が消磁した状態のとき、これのプランジャ３６に巻装したコイルばね３９によって図６（ａ）実線のように前方（時計方向）へ回動付勢されており、その係止部２６ａの先端を取付板１０に形成した長溝孔４０から前面側に突出させている。そして、ソレノイド２５が励磁してプランジャ３６が吸引されると図６（ａ）鎖線のように後方（反時計方向）へ回動して係止部２６ｂの先端を取付板１０の前面から後退させるようになっている。
【００１５】
その他、図中４１は流出孔１３から流出する打球を後方へ導く誘導樋、４２は誘導樋４１から落下する打球を検出する入賞球検出器、４３は入賞球検出器４２の支持枠で、間隔保持突起４４，４４を介して取付板１０の裏面にビス着されている。
【００１６】
図７は以上説明した本実施例に係るパチンコ球整理装置１が適用されるパチンコ機の遊技盤の構成例を示す正面図である。パチンコ機の遊技盤４５の表面にはガイドレール４６で囲まれる遊技部が形成され、その遊技部のほぼ中央に可変表示器４７を設けている。また、可変表示器４７の下方には始動入賞口としての通過チャッカー４８と一対の開閉片４９，４９を有する特定入賞口５０を設けると共に、右側方には本実施例のパチンコ球整理装置１とアタッカーと呼ばれる大入賞口５１とを上下に設けている。なお、通過チャッカー４８には入賞球検出器５２が設けられている。
【００１７】
前記可変表示器４７は、この実施例の場合３桁のデジタル表示部を有する周知のものである。また、大入賞口５１は、取付板５３に形成した横長の開口に開閉扉５４を前後方向へ開閉自在に設けたもので、通常は開閉扉５４を閉じて打球を受け入れない状態にあり、ソレノイド（図示せず）が駆動すると開閉扉５４を開いて打球を受け入れ易いように変換する。
【００１８】
次に、本実施例のパチンコ球整理装置１の作用について説明する。本実施例のパチンコ球整理装置１は、通常時には重錘２２の作用力によって図４実線で示すように球受部１９がガイド枠１１の球導入口１２に合致する第１位置に付勢されて停止している。一方、遊技盤４５の遊技部に打ち込まれた打球が通過チャッカー４８を通過して入賞球検出器５２で検出されると、その検出信号によって可変表示器４７のデジタルが変動し、一定時間（約５秒）が経過するとその変動を停止する。そして、その停止時の表示があらかじめ設定された表示（例えば「１，１，１」，「７，７，７」等のぞろ目）に揃うと特定入賞口５０の開閉片４９，４９を一定時間（例えば約６秒）打球を受け入れ可能なように開く。そして、この状態で打球が特定入賞口５０の開閉片４９，４９間に入ると、該打球は開閉片４９，４９が閉じるのと同時にＶ入賞口５５に入賞し、これによって「大当り」としての権利発生となる。
【００１９】
一方、この権利発生状態のときにパチンコ球整理装置１の球導入口１２から回転部材１４の球受部１９に打球Ｂが入ると、該回転部材１４はその重量により図４鎖線で示す第２位置へ回転する。この際に図６（ｂ）鎖線で示すように回転部材１４の係止突起２１のテーパー面２０ｂがロック片２４の係止部２６ｂの先端テーパー面２７に下方から接触して該ロック片２４をコイルばね３９の付勢に抗して後方（反時計方向）へ回動させながら回転を続ける。そして、球受部１９と流出孔１３とが合致する第２位置まで回転したとき、ロック片２４のテーパー面２７が係止突起２１のテーパー面２０ｂから外れて該ロック片２４は図６（ｂ）実線位置に回動復帰し、これの先端を係止突起２１の段部２０ａに係合して該回転部材１４を第２位置にロックする。同時に球受部１９の打球Ｂは流出孔１３から誘導樋４１に導かれて後方へ流出し入賞球検出器４２で検出される。そして、この検出信号によって大当り状態が開始されて大入賞口５１の開閉扉５４が一定時間（例えば１０秒）経過するまでの間又は所定個数（例えば１０個）の打球が入賞するまで開かれる。
【００２０】
一方、前記開閉扉５４が開かれてから一定時間（例えば１０秒）経過するとパチンコ球整理装置１のソレノイド２５に通電されて該ソレノイド２５が瞬間的に励磁される。このソレノイド２５の励磁によりこれのプランジャ３６が吸引されてロック片２４が図６（ａ）鎖線のように後方へ回動し、該ロック片２４の係止部２６ｂと回転部材１４の係止突起２１とのロックを解除する。このため、回転部材１４は重錘２２の作用力によって直ちに図４実線で示す第１位置に回転復帰し、球受部１９に打球を受け入れて再び第２位置に回転する動作を繰返えし行う。
【００２１】
なお、回転部材１４が第２位置でロックされているとき、球導入口１２に打球が入ると該打球は回転部材１４の周面１８に載って待機し、該回転部材１４が第１位置に回転復帰すると同時に球受部１９に受けられてすぐに流出孔１３まで運ばれることになる。
【００２２】
このように権利発生状態になると、打球がパチンコ球整理装置１の回転部材１４の球受部１９に入って流出孔１３まで運ばれ入賞球検出器４２で検出されることを条件に大入賞口５１の開閉扉５４の開成動作が所定サイクル（例えば１６回）約示される。これによって、遊技者は多くの景品球を得ることが可能となる。
【００２３】
上記のようなゲーム構成において、本実施例のパチンコ球整理装置１は、回転部材１４が第１位置に停止しているとき、常に球受部１９が球導入口１２と合致していていつでも打球を受け入れることができるものであるから、従来のパチンコ球整理装置のように回転体の球保持部が待機部に到来するまでの間の待ち時間を無くすことができる。
【００２４】
また、回転部材１４が第２位置にロックされているとき、その周面１８に載って待機している打球は回転部材１４が第１位置に回転復帰すると同時に球受部１９に受けられてすぐに第２位置まで運ばれ大入賞口５１の開閉扉５４を開成するものであるから、大当り状態において効率よくしかも短時間で大入賞口５１の開成サイクルを更新することができる。
【００２５】
【発明の効果】
以上説明したように、本発明に係わるパチンコ球整理装置は、従来の同種の整理装置に比べて打球を効率よく入賞させることができる。したがって、遊技者は遊技の途中で一時的に打球の発射を停止したりするような煩わしさから解放されると共に、パチンコ機の稼動率を著しく高めることができてパチンコ店の利益向上に大いに寄与し得る。
【００２６】
また、回転部材を常時回転させるための電気的な駆動源を必要としないため、消費電力が少なくて済む。
【図面の簡単な説明】
【図１】本発明に係わるパチンコ球整理装置を正面から見た斜視図である。
【図２】同じく裏側から見た斜視図である。
【図３】同じく分解斜視図である。
【図４】同じく一部断面にして示す正面図である。
【図５】同じく要部の縦断側面図である。
【図６】（ａ），（ｂ）は作用説明図である。
【図７】本実施例のパチンコ球整理装置が適用されるパチンコ機の遊技盤の構成例である。
【図８】従来のパチンコ球整理装置の斜視図である。
【符号の説明】
１０        取付板
１１        ガイド枠
１２        球導入口
１４        回転部材
１８        周面
１９        球受部
２４        ロック片
２５        ソレノイド
【図１】
0003625854.tif 000002
【図２】
0003625854.tif 000003
【図３】
0003625854.tif 000004
【図４】
0003625854.tif 000005
【図５】
0003625854.tif 000006
【図６】
0003625854.tif 000007
【図７】
0003625854.tif 000008
【図８】
0003625854.tif 000009